(57)【要約】【課題】携帯電話機などの携帯端末で任意の再生機器に記録されているコンテンツデータを利用可能とする。【解決手段】ある携帯端末４からある再生機器２に対して問い合わせがなされると、再生機器２から携帯端末４に対して応答を行う（Ｓ４１〜Ｓ４３）。そして、その携帯端末４でユーザが所定の操作をなすと、携帯端末４上でワンタイムパスワードを作成し、そのワンタイムパスワードとユーザの行った操作に対する操作情報などを再生機器２に送信し、再生機器２では、サービスセンタ１に対し端末機器ＩＤなどを送信する（Ｓ４４〜Ｓ４６）。サービスセンタ１では、その情報を受け取ると、ワンタイムパスワードを作成し、そのワンタイムパスワードと操作許可指令を再生機器２に送信し、再生機器２では送られてきたパスワードと携帯端末４で作成されたパスワードを比較し、適正であると判断された場合は、ユーザの操作指示を有効とする（Ｓ４７〜Ｓ５０）。【選択図】      図５
2004234200.tif 000002
【特許請求の範囲】
【請求項１】
ユーザに提供すべきコンテンツデータを保持する情報提供装置と、この情報提供装置にネットワークを介して接続可能で少なくとも情報の再生が可能な少なくとも１つの情報再生機器と、所定の操作がなされることによって、前記少なくとも１つの情報再生機器のある情報再生機器に対する操作が可能な少なくとも１つの携帯端末機器とを含む情報視聴システムであって、ある携帯端末機器によってある情報再生機器に記録されているコンテンツデータを利用する際に行われる処理手順として、
前記ある携帯端末機器上でユーザにより所定の操作がなされることで、当該携帯端末機器では予め設定された情報を用いてパスワードを作成し、少なくとも、そのパスワードとその携帯端末機器上でそのユーザの行った所定の操作のうちのコンテンツデータ利用のための操作に対する操作情報を前記情報再生機器に送信する手順と、
前記情報再生機器では、前記携帯端末機器から送信されてきた情報を受け取ると、前記情報提供装置に対し、前記携帯端末機器に与えられた端末機器固有の情報、当該情報再生機器に与えられた再生機器固有の情報、前記ユーザの行ったコンテンツデータ利用のための操作に対する操作情報を前記情報提供装置に送信する手順と、
前記情報提供装置では、前記情報再生機器から送られてきた情報を受け取ると、予め設定された情報を用いてパスワードを作成し、少なくとも、そのパスワードを当該情報再生機器に送信する手順と、
その情報再生機器では前記情報提供装置から送られてきたパスワードと前記携帯端末機器から送られてきたパスワードを比較し、その比較の結果、適正であると判断された場合は、前記ユーザの行ったコンテンツデータ利用のための操作を実行する手順と、
を含むことを特徴とする情報視聴システム。
【請求項２】
前記パスワードは、ある限られた時間内のみで有効となるパスワードであることを特徴とする請求項１記載の情報視聴システム。
【請求項３】
前記パスワードを作成する際に必要な情報として、前記携帯端末機器に与えられた端末機器固有の情報と現在時刻情報を必須要件とし、これらの他に、前記再生機器固有の情報、前記ユーザの行ったコンテンツデータ利用のための操作に対する操作情報、そのユーザに与えられたユーザ固有情報の少なくとも１つを加えることを可能とすることを特徴とする請求項１または２項記載の情報視聴システム。
【請求項４】
前記ある情報再生機器に記録されたコンテンツデータがある携帯端末機器によって利用された場合、前記情報提供装置側から見た課金対象は、そのコンテンツデータ利用のための操作を行った前記携帯端末機器側に対して行われることを特徴とする請求項１から３のいずれかに記載の情報視聴システム。
【請求項５】
前記携帯端末機器でのパスワードの作成およびそれに伴う前記情報提供装置側でのパスワードの作成は、ユーザが前記情報再生機器に対して行うコンテンツデータ利用のための操作のうち、前記情報再生機器内に記録されているコンテンツデータを再生するための再生操作がなされたときに行われることを特徴とする請求項１から４のいずれかに記載の情報視聴システム。
【請求項６】
前記携帯端末機器でのパスワードの作成およびそれに伴う前記情報提供装置側でのパスワード作成は、ユーザが前記情報再生機器に対して行うコンテンツデータ利用のための操作のうち、予め決められた複数種類の操作のどの操作要求に対しても行われることを特徴とする請求項１から４のいずれかに記載の情報視聴システム。
【請求項７】
前記情報再生機器が前記情報提供装置または他の情報再生機器からコンテンツデータを取得する際は、前記パスワードの作成処理を行うことなくコンテンツデータの取得を可能とすることを特徴とする請求項１から６のいずれか記載の情報視聴システム。
【請求項８】
前記携帯端末機器は、少なくとも、情報入力や動作指示のための機器操作部と、前記情報再生機器および情報提供装置との間で通信が可能なデータ送受信部と、前記パスワードの作成が可能なパスワード作成部と、現在時刻情報の出力が可能な計時部と、自身に与えられた端末機器固有情報を記録する機器固有情報記録部とを有することを特徴とする請求項１から７のいずれかに記載の情報視聴システム。
【請求項９】
前記情報再生機器は、前記情報提供装置や他の情報機器などから取得したコンテンツデータを記録するコンテンツデータ記録部と、自身に与えられた再生機器固有情報を記録する機器固有情報記録部と、前記コンテンツデータ記録部に記録されているコンテンツデータを再生信号として出力する再生信号出力部と、前記携帯端末機器で作成されたパスワードと前記情報提供装置側で作成されたパスワードを比較して、パスワードの正当性を判断し正当性の判断がなされると前記ユーザの行ったコンテンツデータ利用のための操作を有効とする制御を制御指令処理の１つとして行う制御指令部と、前記情報提供装置とネットワークを介して信号の授受を可能とするとともに前記携帯端末機器との間で信号の授受が可能なデータ送受信部とを有することを特徴とする請求項１から８のいずれかに記載の情報視聴システム。
【請求項１０】
前記情報提供装置は、前記情報再生機器および前記携帯端末機器とネットワークを介して信号の授受を可能とするデータ送受信部と、コンテンツデータを保持するコンテンツデータ記録部と、自身に対して所定の手続きによって登録された情報再生機器および同じく所定の手続きによって登録された携帯端末機器のそれぞれの機器固有情報を記録する機器固有情報記録部と、前記登録された携帯端末機器を所有するユーザに関する情報をユーザ情報として記録するユーザ情報記録部と、前記登録された情報再生機器の有する機能など個々の情報再生機器に関する情報を機器情報として記録する機器情報記録部と、現在時刻情報の出力が可能な時刻情報出力部と、前記パスワードの作成を行うパスワード作成部とを有することを特徴とする請求項１から９のいずれかに記載の情報視聴システム。
【請求項１１】
ユーザに提供すべきコンテンツデータを保持する情報提供装置と、この情報提供装置にネットワークを介して接続可能で少なくとも情報の再生が可能な少なくとも１つの情報再生機器と、所定の操作がなされることによって前記少なくとも１つの情報再生機器のある情報再生機器に対する操作が可能な少なくとも１つの携帯端末機器とを含む情報視聴システムであって、ある携帯端末機器によってある情報再生機器に記録されているコンテンツデータを利用する際に行われる処理手順として、
前記ある携帯端末機器上でユーザにより所定の操作がなされることで、少なくとも、その携帯端末機器上でそのユーザの行ったコンテンツデータ利用のための操作に対する操作情報を前記情報再生機器に送信する手順と、
前記情報再生機器では、前記携帯端末機器から送信されてきた情報を受け取ると、予め設定された情報を用いてパスワードを作成し、前記情報提供装置に対し、前記携帯端末機器に与えられた端末機器固有の情報、当該情報再生機器に与えられた再生機器固有の情報、前記ユーザの行ったコンテンツデータ利用のための操作に対する操作情報を前記情報提供装置に送信する手順と、
前記情報提供装置では、前記情報再生機器から送られてきた情報を受け取ると、予め設定された情報を用いてパスワードを作成し、少なくとも、そのパスワードを当該情報再生機器に送信する手順と、
その情報再生機器では前記情報提供装置から送られてきたパスワードと前記携帯端末機器から送られてきたパスワードを比較し、その比較の結果、適正であると判断された場合は、前記ユーザの行ったコンテンツデータ利用のための操作を実行する手順と
を含むことを特徴とする情報視聴システム。
【請求項１２】
前記パスワードは、ある限られた時間内のみで有効となるパスワードであることを特徴とする請求項１１記載の情報視聴システム。
【請求項１３】
前記パスワードを作成する際に必要な情報として、前記携帯端末機器に与えられた端末機器固有の情報と現在時刻情報を必須要件とし、これらの他に、前記再生機器固有の情報、前記ユーザの行ったコンテンツデータ利用のための操作に対する操作情報、そのユーザに与えられたユーザ固有情報の少なくとも１つを加えることを可能とすることを特徴とする請求項１１または１２項記載の情報視聴システム。
【請求項１４】
前記ある情報再生機器に記録されたコンテンツデータがある携帯端末機器によって利用された場合、前記情報提供装置側から見た課金対象は、そのコンテンツデータ利用のための操作を行った前記携帯端末機器側に対して行われることを特徴とする請求項１１から１３のいずれかに記載の情報視聴システム。
【請求項１５】
前記情報再生機器でのパスワードの作成およびそれに伴う前記情報提供装置側でのパスワードの作成は、ユーザが前記情報再生機器に対して行うコンテンツデータ利用のための操作のうち、前記情報再生機器内に記録されているコンテンツデータを再生するための再生操作がなされたときに行われることを特徴とする請求項１１から１４のいずれかに記載の情報視聴システム。
【請求項１６】
前記情報再生機器でのパスワードの作成およびそれに伴う前記情報提供装置側での当該データ再生装置に対するパスワード作成は、ユーザが前記情報再生機器に対して行うコンテンツデータ利用のための操作のうち、予め決められた複数種類の操作のどの操作要求に対しても行われることを特徴とする請求項１１から１４のいずれかに記載の情報視聴システム。
【請求項１７】
前記情報再生機器が前記情報提供装置または他の情報再生機器からコンテンツデータを取得する際は、前記パスワードの作成処理を行うことなくコンテンツデータの取得を可能とすることを特徴とする請求項１１から１６のいずれか記載の情報視聴システム。
【請求項１８】
前記携帯端末機器は、少なくとも、情報入力や動作指示のための機器操作部と、前記情報再生機器および情報提供装置との間で通信が可能なデータ送受信部と、自身に与えられた端末機器固有情報を記録する機器固有情報記録部とを有することを特徴とする請求項１１から１７のいずれかに記載の情報視聴システム。
【請求項１９】
前記情報再生機器は、前記情報提供装置や他の情報機器などから取得したコンテンツデータを記録するコンテンツデータ記録部と、自身に与えられた再生機器固有情報を記録する機器固有情報記録部と、前記コンテンツデータ記録部に記録されているコンテンツデータを再生信号として出力する再生信号出力部と、前記パスワードの作成を行うパスワード作成部と、このパスワード作成部で作成されたパスワードと前記情報提供装置側で作成されたパスワードを比較して、パスワードの正当性を判断し、正当性の判断がなされると前記ユーザの行ったコンテンツデータ利用のための操作を有効とする制御を制御指令処理の１つとして行う制御指令部と、前記情報提供装置とネットワークを介して信号の授受を可能とするとともに前記携帯端末機器との間で信号の授受が可能なデータ送受信部とを有することを特徴とする請求項１１から１８のいずれかに記載の情報視聴システム。
【請求項２０】
前記情報提供装置は、前記情報再生機器および前記携帯端末機器とネットワークを介して信号の授受を可能とするデータ送受信部と、コンテンツデータを保持するコンテンツデータ記録部と、自身に対して所定の手続きによって登録された情報再生機器および同じく所定の手続きによって登録された携帯端末機器のそれぞれの機器固有情報を記録する機器固有情報記録部と、前記登録された携帯端末機器を所有するユーザに関する情報をユーザ情報として記録するユーザ情報記録部と、前記登録された情報再生機器の有する機能など個々の情報再生機器に関する情報を機器情報として記録する機器情報記録部と、現在時刻情報の出力が可能な時刻情報出力部と、前記パスワードの作成を行うパスワード作成部とを有することを特徴とする請求項１１から１９のいずれかに記載の情報視聴システム。
【発明の詳細な説明】
【０００１】
【発明の属する技術分野】
本発明は、たとえば、音楽や映画などの様々な情報をネットワーク経由で取得して視聴可能な情報視聴システムに関する。
【０００２】
【従来の技術】
音楽・映画・ゲームなどの情報（コンテンツデータと呼ぶ）をサービスセンタなどからユーザがインタネットを経由して取得できるサービス（以下、コンテンツデータサービスと呼ぶ）が普及してきている。
【０００３】
このコンテンツデータサービスは、たとえば、少なくともコンテンツデータの再生が可能な機能を有する再生機器（音楽や映像の再生専用機だけではなくパーソナルコンピュータなどもその１つである）などに、情報供給側（サービスセンタという）に保持されたコンテンツデータをインタネット経由で取り込んで記録し、記録されたコンテンツデータを再生して利用するのが一般的である。このようなコンテンツデータサービスにおける課金は、コンテンツデータの利用に応じた料金をネットワーク経由でクレジットカードなどによって支払うのが一般的である。
【０００４】
しかし、この種のコンテンツデータサービスで扱われるデータは、ディジタルデータであるために、ほとんど劣化なくコピーできることが可能であることから、利用料金を払わない他人の機器に不正に送信してその機器上で記録する（不正コピー）される可能性がある。
【０００５】
この問題を解決するための１つの方法として、たとえば、特開２００１−６７７９５号公報に記載された技術（以下、従来技術と呼ぶ）がある。
【０００６】
この従来技術は、コンテンツデータを利用するための登録情報が異なる複数の情報受信装置間で、登録情報を授受することにより複数の情報受信装置間でコンテンツデータの利用可否を相互に判断し、複数の情報受信装置のうち、コンテンツデータの利用権を有する第１の情報受信装置がコンテンツデータの利用可と判断した第２の情報受信装置に対して利用権を引き渡すことにより、その利用権が引き渡された第２の情報受信装置でコンテンツデータを利用可能とすることができるようにし、それによって、たとえば、第１の情報受信装置の受信したコンテンツデータを第２の情報受信装置に送信し、それを第２の情報受信装置で記録（コピー）することを可能としている。
【０００７】
【特許文献１】
特開２００１−６７７９５号公報
【０００８】
【発明が解決しようとする課題】
しかし、この従来技術は、コピーされる側の情報受信装置も、予めサービスセンタなどと情報交換を行い、コンテンツデータ利用のための登録情報を登録しておく必要があるため、上述した第２の情報受信装置が当該コンテンツデータを再生可能な機能（通常のこの種のコンテンツデータは暗号化されているためそれを復元する機能をも含む）を有する機器であっても、その機器が登録情報を持たない場合には、上述の第１の情報受信装置のデータをコピーすることはできない。
【０００９】
したがって、たとえば、コンテンツデータを受信した機器（上述の従来技術の例では第１の情報受信装置）から他の機器（上述の従来技術の例では第２の情報受信装置）へのコピーを先に行っておいてから、第２の情報受信装置がサービスセンタなどと契約して登録情報を取得するといった利用形態はできないため、たとえ、合法的なコピーを行う場合も制約が生じてしまう。
【００１０】
また、この従来技術では、コンテンツデータを再生するための復号方法（この場合の復号には、符号化されたコンテンツデーの復号化処理とコンテンツデータが暗号化されている場合にはそれを復元する処理の含むものとする）の制約がないため、ある情報受信装置のメモリ（ＲＡＭやＨＤＤなど）に記録されたコンテンツデータを、何らかの形で読み取ることができると、その読み取ったコンテンツデータそのものを他の機器に不正にコピーして、その不正コピーを行った機器で再生することが可能となってしまうという問題もある。
【００１１】
ところで、暗号化されたコンテンツデータを復号化する際は、復号化のためにネットワークで受信したコンテンツ鍵を用いる方法が知られている。このコンテンツ鍵は暗号化データに組み込まれていて、不正に暗号化データがコピーされることは少ないが、何らかの方法で暗号化データが読み取られてしまうと、コンテンツデータが不法に復号化されてしまう。
【００１２】
そこで、それを防止するために、コンテンツ鍵を定期的に更新することもなされているが、コンテンツ鍵が更新されると、その都度、暗号化されたコンテンツデータを再受信する必要がある。
【００１３】
したがって、安全性を高めるためには、コンテンツ鍵を高い頻度で更新する必要があるが、コンテンツ鍵を高い頻度で更新すると、それに伴って、暗号化データを何回も受信し直すことが必要となる。この場合、コンテンツデータが映画のようにデータ量のきわめて多いものであると、そのコンテンツデータを受信するたびに、ユーザ側の情報受信装置で多くの演算処理を行う必要があるとともに、送信されるデータ量が多いことから、ネットワーク負荷が高くなるといった問題がでてくる。
【００１４】
このため、コンテンツ鍵の更新はそれほど頻繁には行えないのが実情であり、ある程度の長さの期間は同一のコンテンツ鍵を用いざるを得ない。しかし、更新するまでの期間が長すぎると、コンテンツ鍵とコンテンツデータが他の機器に不正にコピーされる可能性がある。
【００１５】
以上説明したように、上述した従来技術を含む従来のコンテンツデータのサービスシステムは、サービスセンタ側から見た場合は、コンテンツデータの不法なコピーの防止と適正な課金を可能とするため、種々の方策をとっているが、それが、ユーザ側からすると、使い勝手悪いなど改善の余地も多いのが実情である。
【００１６】
そこで本発明は、コンテンツデータの不正使用を確実に防止することができ、かつ、携帯電話機などの携帯端末を用いて任意の情報再生機器に記録されているコンテンツデータの利用を可能とし、使い勝手に優れた情報視聴システムを提供すること目的としている。
【００１７】
【課題を解決するための手段】
上述した目的を達成するために本発明の情報視聴システムは、ユーザに提供すべきコンテンツデータを保持する情報提供装置と、この情報提供装置にネットワークを介して接続可能で少なくとも情報の再生が可能な少なくとも１つの情報再生機器と、所定の操作がなされることによって前記少なくとも１つの情報再生機器のある情報再生機器に対する操作が可能な少なくとも１つの携帯端末機器とを含む情報視聴システムであって、ある携帯端末機器によってある情報再生機器に記録されているコンテンツデータを利用する際に行われる処理手順として、前記ある携帯端末機器上でユーザにより所定の操作がなされることで、当該携帯端末機器では予め設定された情報を用いてパスワードを作成し、少なくとも、そのパスワードとその携帯端末機器上でそのユーザの行ったコンテンツデータ利用のための操作に対する操作情報を前記情報再生機器に送信する手順と、前記情報再生機器では、前記携帯端末機器から送信されてきた情報を受け取ると、前記情報提供装置に対し、前記携帯端末機器に与えられた端末機器固有の情報、当該情報再生機器に与えられた再生機器固有の情報、前記ユーザの行ったコンテンツデータ利用のための操作に対する操作情報を前記情報提供装置に送信する手順と、前記情報提供装置では、前記情報再生機器から送られてきた情報を受け取ると、予め設定された情報を用いてパスワードを作成し、少なくとも、そのパスワードを当該情報再生機器に送信する手順と、その情報再生機器では前記情報提供装置から送られてきたパスワードと前記携帯端末機器から送られてきたパスワードを比較し、その比較の結果、適正であると判断された場合は、前記ユーザの行ったコンテンツデータ利用のための操作を実行する手順とを含むものである。
【００１８】
この情報視聴システムにおいて、前記パスワードは、ある限られた時間内のみで有効となるパスワードとしている。
【００１９】
また、この情報視聴システムにおいて、前記パスワードを作成する際に必要な情報として、前記携帯端末機器に与えられた端末機器固有の情報と現在時刻情報を必須要件とし、これらの他に、前記再生機器固有の情報、前記ユーザの行ったコンテンツデータ利用のための操作に対する操作情報、そのユーザに与えられたユーザ固有情報の少なくとも１つを加えることを可能としている。
【００２０】
また、この情報視聴システムにおいて、前記ある情報再生機器に記録されたコンテンツデータがある携帯端末機器によって利用された場合、前記情報提供装置側から見た課金対象は、そのコンテンツデータ利用のための操作を行った前記携帯端末機器側に対して行われる。
【００２１】
また、この情報視聴システムでの前記携帯端末機器におけるパスワードの作成およびそれに伴う前記情報提供装置側でのパスワードの作成は、ユーザが前記情報再生機器に対して行うコンテンツデータ利用のための操作のうち、前記情報再生機器内に記録されているコンテンツデータを再生するための再生操作がなされたときに行われる。
【００２２】
また、この情報視聴システムでの前記携帯機器におけるパスワードの作成およびそれに伴う前記情報提供装置側でのパスワード作成は、ユーザが前記情報再生機器に対して行うコンテンツデータ利用のための操作のうち、予め決められた複数種類の操作のどの操作要求に対しても行われることが好ましい。
【００２３】
また、この情報視聴システムにおいて、前記情報再生機器が前記情報提供装置または他の情報再生機器からコンテンツデータを取得する際は、前記パスワードの作成処理を行うことなくコンテンツデータの取得を可能としている。
【００２４】
また、この情報視聴システムにおいて、前記携帯端末機器は、少なくとも、情報入力や動作指示のための機器操作部と、前記情報再生機器および情報提供装置との間で通信が可能なデータ送受信部と、前記パスワードの作成が可能なパスワード作成部と、現在時刻情報の出力が可能な計時部と、自身に与えられた端末機器固有情報を記録する機器固有情報記録部とを有している。
【００２５】
また、前記情報再生機器は、前記情報提供装置や他の情報機器などから取得したコンテンツデータを記録するコンテンツデータ記録部と、自身に与えられた再生機器固有情報を記録する機器固有情報記録部と、前記コンテンツデータ記録部に記録されているコンテンツデータを再生信号として出力する再生信号出力部と、前記携帯端末機器で作成されたパスワードと前記情報提供装置側で作成されたパスワードを比較して、パスワードの正当性を判断し正当性の判断がなされると前記ユーザの行ったコンテンツデータ利用のための操作を有効とする制御を制御指令処理の１つとして行う制御指令部と、前記情報提供装置とネットワークを介して信号の授受を可能とするとともに前記携帯端末機器との間で信号の授受が可能なデータ送受信部とを有している。
【００２６】
また、この情報視聴システムにおいて、前記情報提供装置は、前記情報再生機器および前記携帯端末機器とネットワークを介して信号の授受を可能とするデータ送受信部と、コンテンツデータを保持するコンテンツデータ記録部と、自身に対して所定の手続きによって登録された情報再生機器および同じく所定の手続きによって登録された前記携帯端末機器のそれぞれの機器固有情報を記録する機器固有情報記録部と、前記登録された携帯端末機器を所有するユーザに関する情報をユーザ情報として記録するユーザ情報記録部と、前記登録された情報再生機器の有する機能など個々の情報再生機器に関する情報を機器情報として記録する機器情報記録部と、現在時刻情報の出力が可能な時刻情報出力部と、前記パスワードの作成を行うパスワード作成部とを有している。
【００２７】
また、本発明の情報視聴システムのもう一つの発明は、ユーザに提供すべきコンテンツデータを保持する情報提供装置と、この情報提供装置にネットワークを介して接続可能で少なくとも情報の再生が可能な少なくとも１つの情報再生機器と、所定の操作がなされることによって前記少なくとも１つの情報再生機器のある情報再生機器に対する操作が可能な少なくとも１つの携帯端末機器とを含む情報視聴システムであって、ある携帯端末機器によってある情報再生機器に記録されているコンテンツデータを利用する際に行われる手順として、前記ある携帯端末機器上でユーザにより所定の操作がなされることで、少なくとも、その携帯端末機器上でそのユーザの行ったコンテンツデータ利用のための操作に対する操作情報を前記情報再生機器に送信する手順と、前記情報再生機器では、前記携帯端末機器から送信されてきた情報を受け取ると、予め設定された情報を用いてパスワードを作成し、前記情報提供装置に対し、前記携帯端末機器に与えられた端末機器固有の情報、当該情報再生機器に与えられた再生機器固有の情報、前記ユーザの行ったコンテンツデータ利用のための操作に対する操作情報を前記情報提供装置に送信する手順と、前記情報提供装置では、前記情報再生機器から送られてきた情報を受け取ると、予め設定された情報を用いてパスワードを作成し、少なくとも、そのパスワードを当該情報再生機器に送信する手順と、その情報再生機器では前記情報提供装置から送られてきたパスワードと前記携帯端末機器から送られてきたパスワードを比較し、その比較の結果、適正であると判断された場合は、前記ユーザの行ったコンテンツデータ利用のための操作を実行する手順とを含むものである。
【００２８】
このもう一つの発明である情報視聴システムにおいても、前記パスワードは、ある限られた時間内のみで有効となるパスワードとしている。
【００２９】
また、このもう一つの発明である情報視聴システムにおいて、前記パスワードを作成する際に必要な情報として、前記携帯端末機器に与えられた端末機器固有の情報と現在時刻情報を必須要件とし、これらの他に、前記再生機器固有の情報、前記ユーザの行ったコンテンツデータ利用のための操作に対する操作情報、そのユーザに与えられたユーザ固有情報の少なくとも１つを加えることを可能としている。
【００３０】
また、このもう一つの発明である情報視聴システムにおいて、前記ある情報再生機器に記録されたコンテンツデータがある携帯端末機器によって利用された場合、前記情報提供装置側から見た課金対象は、そのコンテンツデータ利用のための操作を行った前記携帯端末機器側に対して行われる。
【００３１】
また、このもう一つの発明である情報視聴システムでの前記情報再生機器におけるパスワードの作成およびそれに伴う前記情報提供装置側でのパスワードの作成は、ユーザが前記情報再生機器に対して行うコンテンツデータ利用のための操作のうち、前記情報再生機器内に記録されているコンテンツデータを再生するための再生操作要なされたときに行われるようにしている。
【００３２】
また、このもう一つの発明である情報視聴システムでの前記情報再生機器におけるパスワードの作成およびそれに伴う前記情報提供装置側でのパスワード作成は、ユーザが前記情報再生機器に対して行うコンテンツデータ利用のための操作のうち、予め決められた複数種類の操作のどの操作要求に対しても行われることが好ましい。
【００３３】
また、このもう一つの発明である情報視聴システムにおいて、前記情報再生機器が前記情報提供装置または他の情報再生機器からコンテンツデータを取得する際は、前記パスワードの作成処理を行うことなくコンテンツデータの取得を可能としている。
【００３４】
また、このもう一つの発明である情報視聴システムにおいて、前記携帯端末機器は、少なくとも、情報入力や動作指示のための機器操作部と、前記情報再生機器および情報提供装置との間で通信が可能なデータ送受信部と、自身に与えられた端末機器固有情報を記録する機器固有情報記録部とを有している。
【００３５】
また、このもう一つの発明である情報視聴システムにおいて、前記情報再生機器は、前記情報提供装置や他の情報機器などから取得したコンテンツデータを記録するコンテンツデータ記録部と、自身に与えられた再生機器固有情報を記録する機器固有情報記録部と、前記コンテンツデータ記録部に記録されているコンテンツデータを再生信号として出力する再生信号出力部と、前記パスワードの作成を行うパスワード作成部と、このパスワード作成部で作成されたパスワードと前記情報提供装置側で作成されたパスワードを比較して、パスワードの正当性を判断し、正当性の判断がなされると前記ユーザの行ったコンテンツデータ利用のための操作を有効とする制御を制御指令処理の１つとして行う制御指令部と、前記情報提供装置とネットワークを介して信号の授受を可能とするとともに前記携帯端末機器との間で信号の授受が可能なデータ送受信部とを有している。
【００３６】
また、このもう一つの発明である情報視聴システムにおいて、前記情報提供装置は、前記情報再生機器および前記携帯端末機器とネットワークを介して信号の授受を可能とするデータ送受信部と、コンテンツデータを保持するコンテンツデータ記録部と、自身に対して所定の手続きによって登録された情報再生機器および同じく所定の手続きによって登録された前記携帯端末機器のそれぞれの機器固有情報を記録する機器固有情報記録部と、前記登録された携帯端末機器を所有するユーザに関する情報をユーザ情報として記録するユーザ情報記録部と、前記登録された情報再生機器の有する機能など個々の情報再生機器に関する情報を機器情報として記録する機器情報記録部と、現在時刻情報の出力が可能な時刻情報出力部と、前記登録されている携帯端末機器のうちのある携帯端末機器から前記パスワードの作成を行うパスワード作成部を有している。
【００３７】
このように、本発明では、携帯電話機などの携帯端末機器（以下では携帯端末という）からの操作によって、情報再生機器（以下では再生機器という）に記録されたコンテンツデータを再生することができる。なお、再生機器に記録されているコンテンツデータは、情報提供装置から取得したものであっても、また、他の再生機器などからコピーしたものであってもよく、本発明では、再生すべきコンテンツデータを取得する際の制限は特に設けることはしない。ただし、再生機器に取り込まれたコンテンツデータを利用するような行為に対して制限を設けるようにしている。
【００３８】
これによって、たとえば、あるユーザの所有する携帯端末で他のユーザの所有する再生機器が保持するコンテンツデータを利用することができる。すなわち、情報提供装置に登録されている再生機器があって、かつ、その情報提供装置に登録されている携帯端末があれば、その携帯端末を所有するユーザは、利用すべきコンテンツデータの記録されている再生機器が自分の所有する再生機器でなくてもその再生機器を利用することができる。また、そのときのコンテンツデータの利用に関する課金対象は、それを利用したユーザ（コンテンツデータを利用するための操作を行った携帯端末の所有者）とすることができる。
【００３９】
また、本発明では、再生機器上でコンテンツデータを利用（たとえば、再生など）する際の鍵としてのパスワードは、現在時刻に基づくワンタイムパスワード（ｏｎｅ  ｔｉｍｅ  ｐａｓｓｗｏｒｄ）であるため、従来のように、コンテンツ鍵がある一定期間用いられることによる不正使用を防止することができ、また、ワンタイムパスワード作成はそれほど複雑なアルゴリズムではないので、演算部への負担をかけずに作成が可能となる。
【００４０】
また、前記再生機器でのパスワードの作成およびそれに伴う前記情報提供装置側でのパスワードの作成は、少なくとも、前記再生機器内に記録されているコンテンツデータを再生するための再生操作要求がなされたときに行うようにしている。すなわち、ユーザがコンテンツデータを視聴する際には必ず、パスワード作成処理がなされるということであり、これによって、使用料金を払わないでコンテンツデータを視聴するといった不正使用を確実に防止することができる。
【００４１】
また、前記再生機器でのパスワードの作成およびそれに伴う前記情報提供装置側でのパスワード作成は、予め決められた複数種類の操作のどの操作要求に対しても行われるようにしている。
【００４２】
これによって、コンテンツデータの様々な利用の仕方についても操作の制限を設けることができ、コンテンツデータを様々に利用したときに使用量を払わない不正使用やコンテンツデータの規定外の利用などを未然に防止することができる。
【００４３】
また、前記再生機器が前記情報提供装置または他の再生機器からコンテンツデータを取得する際は、前記パスワードの作成処理を行うことなくコンテンツデータの取得を可能としている。これによって、たとえば、ある機器（第１の再生機器）が情報提供装置から取得したコンテンツデータを、この第１の再生機器と同様に当該コンテンツデータを再生可能な機能を有する他の機器（第２の再生機器）にコピーしようとした場合、とりあえず、第１の再生機器のコンテンツデータを第２の再生機器にコピーしておいて、後から、その第２の再生機器を情報提供装置に登録して、登録後に再生するといった利用形態が可能となり、ユーザにとっては使い勝手がよくなる。
【００４４】
また、パスワードを作成する際に必要な情報として、前記携帯端末機器に与えられた端末機器固有の情報と現在時刻情報を必須要件とし、これらの他に、前記再生機器固有の情報、前記ユーザの行ったコンテンツデータ利用のための操作に対する操作情報、そのユーザに与えられたユーザ固有情報（ユーザＩＤ）の少なくとも１つを加えることを可能としている。
【００４５】
このように、多種の情報を用いてパスワードを作成することによって、より秘匿性の高いパスワードとなり、コンテンツデータの不正使用をより強固に防止することができる。
【００４６】
また、たとえば、ユーザの行ったコンテンツ利用のための操作に対する操作情報が情報提供装置側に送られることによって、ユーザの行った操作を情報提供装置側で把握することがでるので、情報提供装置側からすると、ユーザが行った操作ごとに課金することもでき、それによって、ユーザの行った操作内容に応じた適正、かつ、きめ細かい課金を行うことができる。
【００４７】
また、本発明の情報視聴システムで用いられる携帯端末は、携帯電話機などの現在広く普及している個人用携帯端末機器を用いることができ、この個人用携帯端末機器に、パスワード作成部など簡単な機能を追加することで対応することができる。なお、本発明の情報視聴システム専用の携帯端末機器を作成することもできることは勿論である。
【００４８】
また、本発明の情報視聴システムで用いられる再生機器は、前記情報提供装置や他の情報機器などから取得したコンテンツデータを記録するコンテンツデータ記録部と、自身に与えられた再生機器固有情報を記録する機器固有情報記録部と、前記コンテンツデータ記録部に記録されているコンテンツデータを再生信号として出力する再生信号出力部と、前記携帯端末機器で作成されたパスワードと前記情報提供装置側で作成されたパスワードを比較して、パスワードの正当性を判断し正当性の判断がなされると前記ユーザの行ったコンテンツデータ利用のための操作を有効とする制御を制御指令処理の１つとして行う制御指令部と、前記情報提供装置とネットワークを介して信号の授受を可能とするとともに前記携帯端末機器との間で信号の授受が可能なデータ送受信部とを有した構成となっているので、再生機器側でパスワード作成機能を持つ必要がなく、演算量を少なくすることができる。
【００４９】
また、本発明の情報視聴システムで用いられる情報提供装置は、前記情報再生機器および前記携帯端末機器とネットワークを介して信号の授受を可能とするデータ送受信部と、コンテンツデータを保持するコンテンツデータ記録部と、自身に対して所定の手続きによって登録された情報再生機器および同じく所定の手続きによって登録された携帯端末機器のそれぞれの機器固有情報を記録する機器固有情報記録部と、前記登録された携帯端末機器を所有するユーザに関する情報をユーザ情報として記録するユーザ情報記録部と、前記登録された情報再生機器の有する機能など個々の情報再生機器に関する情報を機器情報として記録する機器情報記録部と、現在時刻情報の出力が可能な時刻情報出力部と、前記パスワードの作成を行うパスワード作成部とを有した構成となっている。
【００５０】
このように、本発明の情報提供装置は、再生機器側から送信されてくる情報に基づいてパスワードを作成し、それを再生機器側に送るようにしている。これによって、再生機器側では情報提供装置側から送られてくるパスワードと携帯端末側から送られてくるパスワードの照合を行い、そのパスワードの正当性が判断されたときのみ、ユーザから要求のあった操作を実行するようにしている。このように、本発明の情報提供装置側では、再生機器側から送られてくる情報に基づいてパスワードを作成するだけで、当該情報提供装置側に未登録の機器でのコンテンツデータの不正使用を確実に防止することができる。また、このパスワードは、現在時刻に基づくワンタイムのパスワードであるため、従来のように、コンテンツ鍵がある一定期間用いられることによる不正使用などを防止することができ、また、ワンタイムパスワード作成はそれほど複雑なアルゴリズムではないので、比較的な簡単な演算で作成が可能となる。
【００５１】
また、本発明は、携帯端末側にパスワード作成機能を持たせたが、携帯端末側にはパスワード機能を持たせずに、再生機器側にパスワード作成機能を持たせることもでき、それをもう一つの発明としている。これによれば、携帯端末側にパスワード作成機能が不要となるので、現在の携帯電話機などに対し大幅な機能の変更を行う必要がなくなり、携帯端末を安価にすることができる。
【００５２】
【発明の実施の形態】
以下、本発明の実施形態について説明する。
【００５３】
〔実施形態１〕
図１は本発明における実施形態１の情報視聴システムの構成を示す図で、大きく分けると、ユーザに提供すべきコンテンツデータを保持する情報提供装置としてのサービスセンタ１と、このサービスセンタ１に対してネットワーク３を介して接続可能で、少なくとも情報の再生機能を有する情報再生機器（再生機器という）２と、この再生機器２の操作が可能な携帯端末機器（携帯端末という）４とで構成されている。
【００５４】
なお、この図１は主として再生機器２と携帯端末４の構成を説明する図であり、サービスセンタ１の構成については後述する。また、この図１では、サービスセンタ１とネットワーク３によって接続されている再生機器２および携帯端末４は、それぞれ１台ずつのみが図示されているが、実際の情報視聴システムではこれらは複数台存在するのが一般的である。
【００５５】
再生機器２は、サービスセンタ１やここでは図示されていない他の再生機器２などからコンテンツデータを取得してそれを記録することができるとともに、そのコンテンツデータを映像機器や音響機器で再生可能な信号として出力可能な機能が備わっているものであって、このような機能が組み込まれた機器であれば特に限定されるものではない。たとえば、音楽や映像の再生専用機器であってもよく、また、パーソナルコンピュータ、テレビジョン、ラジオ受信機、車載用機器、ゲーム機器、電子ブックビューアなどであってもよい。
【００５６】
また、この図１では再生機器２には映像機器や音響機器は組み込まれていないものとして示されているが、これら映像機器や音響機器が組み込まれているものであってもよい。なお、この図１では再生機器２として本発明の説明に必要な構成要素のみが示されている。
【００５７】
この再生機器２の構成を簡単に説明すると、この再生機器２に与えられた再生機器固有情報（再生機器ＩＤという）を記録している機器ＩＤ記録部２０１、サービスセンタ１や携帯端末４とのインタフェースとしての役目をなし、サービスセンタ１とはインタネットなどによる通信を可能とし、また、携帯端末４とはたとえばブルートゥース（Ｂｌｕｅｔｏｏｔｈ）などによる通信が可能なデータ送受信部２０２、当該再生機器２を構成する各構成要素に対し制御指令を行う制御指令部２０３、サービスセンタ１から取得したコンテンツデータあるいは他の再生機器などから何らかの方法により取得したコンテンツデータを記録するコンテンツデータ記録部２０４、再生機器としての様々なデータ処理を行うデータ処理部２０５、このデータ処理部２０５で処理されたデータを再生信号として映像機器や音響機器に出力する再生信号出力部２０６、コンテンツデータ記録部２０４に記録されたコンテンツデータを他の再生機器に送信するためのコンテンツデータ送信部２０７などを有した構成となっている。
【００５８】
携帯端末４は、たとえば、携帯電話機などを用いることができるが、通常の携帯電話機が有している機能の他に本発明の携帯端末４として必要な機能を有する。なお、この図１に示される携帯端末４は、本発明の説明に必要な構成要素のみが示されている。
【００５９】
この携帯端末４は、それが携帯電話機であるとすれば、テンキーやジョグダイヤルなどの機器操作部４０１を有し、携帯電話機としての通常の通信機能を有するとともに、サービスセンタ１との間でネットネットワーク３を介した通信を可能とし、また、再生機器２との間は、たとえば、上述したようにＢｌｕｅｔｏｏｔｈなどの通信方式による通信が可能なデータ送受信部４０２、本発明に必要な動作を行わせるための様々な制御指令を出す制御指令部４０３、自身に与えられた携帯端末固有情報（端末機器ＩＤという）を記録している機器ＩＤ記録部４０４、現在時刻を出力する計時部４０５、この計時部４０５で得られた現在時刻情報と機器ＩＤ記録部４０４に記録されている端末機器ＩＤ、さらには、再生機器２から得られる再生機器ＩＤなどを用いて、ある時刻のみ（多少の時間的な幅を有する）で有効なパスワード（ワンタイムパスワードと呼ぶ）を作成するパスワード作成部４０６を有している。なお、ワンタイムパスワードの作成に必要な情報は、ここでは、端末機器ＩＤ、再生機器ＩＤ、現在時刻情報としているが、端末機器ＩＤと現在時刻情報のみでもよく、また、これ以外の情報を用いてもよい。これについては後に説明する。
【００６０】
図２はサービスセンタ１の構成について説明する図であり、この図２ではサービスセンタ１として本発明の説明に必要な構成要素のみが示されている。
【００６１】
このサービスセンタ１は、現在の時刻情報を出力する計時部１０１、このサービスセンタ１に登録された再生機器２および携帯端末４のそれぞれの機器ＩＤ（再生機器ＩＤと端末機器ＩＤ）を記録する機器ＩＤ記録部１０２、携帯端末４でのパスワード作成に用いたと同じ情報と自身の計時部１０１から得られる現在時刻情報に基づいて、ある時刻のみ（多少の時間的な幅を有する）に有効なパスワード（ワンタイムパスワード）を作成するパスワード作成部１０３、このサービスセンタ１に登録された再生機器２それぞれがどのような機能を有しているかなどを示す情報（機器情報）を各再生機器２ごとに記録している機器情報記録部１０４、再生機器２および携帯端末４とのインタフェースとしての役目をなし、各再生機器２および各携帯端末４との間で情報の授受を行うデータ送受信部１０５、登録された携帯端末４を使用するユーザの情報（個々のユーザごとに与えられたユーザＩＤやそのユーザがサービスセンタ１に対してどのような契約を行っているかなど）を記録するユーザ情報記録部１０６、再生機器２が取得可能な様々なコンテンツデータが記録されているコンテンツデータ記録部１０７、これら各構成要素で得られた情報を用い、サービスセンタ１としての様々な処理を行うデータ処理部１０８などを有した構成となっている。
【００６２】
なお、この図１で示した再生機器２と携帯端末４および図２で示したサービスセンタ１を構成する各構成要素のうち、携帯端末４側のパスワード作成部４０６とサービスセンタ１側のパスワード作成部１０３、再生機器２側の機器ＩＤ記録部２０１および携帯端末４側の機器ＩＤ記録部４０４、サービスセンタ１側の機器ＩＤ記録部１０２、サービスセンタ１側に存在するユーザ情報記録部１０６、再生機器２側のデータ処理部２０５やサービスセンタ１側のデータ処理部１０８などは、耐タンパ（ｔａｍｐｅｒ）性のあるハードウエア構成あるいはソフトウエア構成とし、データの改ざんや処理手順の改ざんなどができないようにすることが必要である。
【００６３】
また、再生機器２とサービスセンタ１との間の通信路は、サービスセンタ１から再生機器２へのワンタイムパスワード送信など高いキュリティ性が要求されるデータ送信が行われるため、たとえば、ＳＳＬ（Ｓｅｃｕｒｅ  Ｓｏｃｋｅｔｓ  Ｌａｙｅｒ）などのセキュリティプロトコルを用いた通信がなされるようになっている。また、携帯端末４と再生機器２との間の通信もこれに準じた通信がなされるようになっている。
【００６４】
なお、この図１で示した再生機器２と携帯端末４および図２で示したサービスセンタ１を構成する各構成要素については、以下に説明する動作の中でも必要に応じてその処理内容や動作についてより具体的に説明する。
【００６５】
図３から図５は本発明の処理の流れを説明する図である。図３は再生機器２をサービスセンタ１に対して登録するいわゆる事前手続き手順と、その事前手続きの終了後に、その再生機器２がサービスセンタ１から所望とするコンテンツデータを取得する手順を説明する図であり、図４は携帯端末４をサービスセンタ１に登録するいわゆる事前手続き手順を説明する図である。また、図５は携帯端末４を用いて再生機器２内に記録されているコンテンツデータを再生する際の手順を説明する図である。
【００６６】
図３で示す再生機器２のサービスセンタ１に対する登録を行うための事前手続きは、再生機器２を所有または管理するユーザ（これをユーザＵ１とする）が自分自身に与えられた固有の情報（ユーザＩＤという）およびその再生機器２の再生機器ＩＤさらにはどのようなサービスをどのような形態で受けるか（料金の支払い方法なども含む）などの契約内容をサービスセンタ１に登録するもので、この図３を参照しながら事前手続きの手順について説明する。
【００６７】
この事前手続きは、たとえば、図３の（Ａ）で示すように、ユーザＵ１が電話や他の機器（コンテンツデータのサービスを受けようとする再生機器２以外の機器であり、たとえば、コンテンツデータのサービスを受けようとする再生機器２とは別のパーソナルコンピュータなどがあればそのパーソナルコンピュータもその１つである）を用いてサービスセンタ１に登録する方法と、（Ｂ）に示すように、ユーザＵ１がコンテンツデータのサービスを受けようとする再生機器２を用いてサービスセンタ１に登録する方法が考えられる。
【００６８】
（Ａ）の場合は、ユーザＵ１は自身のユーザＩＤとコンテンツサービスを受けようとする再生機器２の再生機器ＩＤ（図３では単に機器ＩＤと表記）と契約内容をサービスセンタ１に電話やパーソナルコンピュータ（ＰＣ）などにて通知する（ステップＳ１）。
【００６９】
サービスセンタ１ではユーザＵ１からのこのような通知を受けると、ユーザＩＤ、再生機器ＩＤ、契約内容などを確認し、ユーザＩＤや契約内容をユーザ情報記録部１０６に記録するとともに再生機器ＩＤを機器ＩＤ記録部１０２に記録する。なお、このとき、そのユーザＩＤ、契約内容、再生機器ＩＤはそれぞれを対応つけて記録する。
【００７０】
一方、（Ｂ）の場合は、ユーザＵ１は自身のユーザＩＤと契約内容を、コンテンツサービスを受けようとする再生機器２にて入力操作する（ステップＳ１１）。これによって、再生機器２はユーザＵ１の指示したユーザＩＤ、契約内容、機器ＩＤ記録部２０１に保存されている自身の機器ＩＤをデータ送受信部２０４によってサービスセンタ１に送信する（ステップＳ１２）。
【００７１】
サービスセンタ１では再生機器２からのこのような通知を受けると、ユーザＩＤ、再生機器ＩＤ、契約内容などを確認し、ユーザＩＤや契約内容をユーザ情報記録部１０６に記録するとともに再生機器ＩＤを機器ＩＤ記録部１０２に記録する（ステップＳ１３）。なお、この場合もそのユーザＩＤ、契約内容、再生機器ＩＤなどはそれぞれを対応つけて記録することは上述した通りである。
【００７２】
以上の（Ａ）または（Ｂ）の方法によって、ユーザＵ１自身のＩＤおよびサービスを受けようとする再生機器２の再生機器ＩＤさらにサービスの契約内容をサービスセンタ１に登録することができ、これによって事前手続きが終了する。
【００７３】
このようにして事前手続きが終了すると、サービスセンタ１の提供するサービスを受けることができるようになる。たとえば、サービスセンタ１に保存されている音楽、映画、ゲームなどのコンテンツデータを取得する場合は、同じく、図３に示すように、ユーザＵ１が自身の再生機器２において、コンテンツデータ取得要求を行うと（ステップＳ２１）、制御指令部２０３はユーザの操作に基づいて、ユーザＩＤ、再生機器ＩＤ、さらに、取得しようとするコンテンツデータ名（音楽であれば音楽の題名やそれを指し示す固有番号など）をデータ送受信部２０２に出力し、データ送受信部２０４からこれらのデータがサービスセンタ１に送られる（ステップＳ２２）。
【００７４】
サービスセンタ１では再生機器２から送られてきたユーザＩＤ、再生機器ＩＤ、コンテンツデータ名などのデータをデータ送受信部１０５で受信すると、データ処理部１０８がその受信したデータを確認、すなわち、機器ＩＤ記録部１０２に記録されている再生機器ＩＤやユーザ情報記録部１０６に記録されているユーザＩＤとの一致を判断し、これらのデータが適正であれば、ユーザＵ１の指定したコンテンツデータをコンテンツデータ記録部１０７から読み出して（ステップＳ２３）、そのコンテンツデータ（暗号化データ）を再生機器２に対して送信する（ステップＳ２４）。
【００７５】
再生機器２はサービスセンタ１から送られてきたコンテンツデータをデータ送受信部２０２で受信すると、制御指令部２０３によってそのコンテンツデータをコンテンツデータ記録部２０４に保存する（ステップＳ２５）。
【００７６】
次に、携帯端末４をサービスセンタ１に登録するための事前手続き手順について図４を参照しながら説明する。この携帯端末４のサービスセンタ１への登録も、上述の再生機器２をサービスセンタ１に登録する際と同様、その携帯端末４を所有するユーザ（これをユーザＵ２とする）が当該携帯端末４以外の機器（たとえば、パーソナルコンピュータなど）を用いてサービスセンタ１に登録する方法と、登録しようとする当該携帯端末４を用いてサービスセンタ１に登録する方法が考えられるが、ここでは、登録しようとする当該携帯端末４を用いてサービスセンタ１に登録する方法について説明する。
【００７７】
まず、ユーザＵ２は自身の携帯端末４に対し、その機器操作部４０１からユーザ自身に与えられた固有の情報（ユーザＩＤ）とどのようなサービスをどのような形態で受けるか（料金の支払い方法なども含む）などの契約内容を入力するための操作を行う（ステップＳ３１）。ユーザＵ２によってこのような入力操作がなされると、その携帯端末４では、入力されたユーザＩＤや契約内容と自身の機器ＩＤ記録部４０４に記録されている端末機器ＩＤ（この図３では単に機器ＩＤと表記）を、サービスセンタ１に送信する（ステップＳ３２）。
【００７８】
サービスセンタ１では、携帯端末４からこのような情報を受け取ると、当該携帯端末４の端末機器ＩＤを機器ＩＤ記録部１０２に記録し、ユーザＩＤや契約内容をユーザ情報記録部１０６に記録する（ステップＳ３３）。
【００７９】
以上によって携帯端末４のサービスセンタ１への登録が終了する。
【００８０】
次に、再生機器２のコンテンツデータ記録部２０７に記録されたコンテンツデータを、ユーザＵ２が自分の所有する携帯端末４を用いて再生する場合の手順について図５を参照しながら説明する。
【００８１】
なお、この場合、再生機器２はユーザＵ２の所有しているものではなく、他人の所有する再生機器、公共的な場所に設置されている再生機器、あるいは、何らかの営業施設（たとえば、宿泊施設や娯楽施設など）に設置されている再生機器であるとする。ただし、これらの再生機器２は、少なくとも図１に示すような構成と機能を有し、サービスセンタ１に対して図３で説明したような事前手続きによって登録されているものであることが必要である。また、ユーザＵ２の所有する携帯端末４もサービスセンタ１に対して図４で説明したような事前手続きによって登録されているものであるとする。
【００８２】
また、再生機器２のコンテンツデータ記録部２０４にはすでに複数のコンテンツデータが保存されているとする。このコンテンツデータは、サービスセンタ１から上述したような手順で取得したものであってもよく、また、他の再生機器２から取得されたものであってもよい。
【００８３】
まず、ユーザＵ２は自身の携帯端末４に対し、コンテンツデータを利用するための問い合わせとして、再生機器２がどのようなコンテンツデータを有しているか、その再生機器２がどのような機能（早送り、繰り返し再生などの機能内容）を有しているかなどを問い合わせるための操作を行う（ステップＳ４１）。なお、このような操作は携帯端末４の機器操作部４０１で行うが、携帯端末４が携帯電話機であれば、機器操作部４０１はテンキー部やジョグダイヤルなどであるので、そのテンキー部やジョグダイヤルなどによって行う。
【００８４】
ユーザＵ２が携帯端末４上でこのような操作を行うと、その携帯端末４からは、ユーザＵ２の問い合わせ内容とともに、当該ユーザＵ２のユーザＩＤ（その都度入力することもできるが、携帯端末４に記録されているユーザＩＤを読み出すようにしてもよい）と、当該携帯端末４の端末機器ＩＤを機器ＩＤ記録部４０４から読み出して、それを再生機器２に送信する（ステップＳ４２）。なお、この携帯端末４から再生機器２への情報通信は、携帯端末４のデータ送受信部４０２が行う。
【００８５】
携帯端末４からこのような情報が再生機器２に送られると、再生機器２では、自身の再生機器ＩＤ、コンテンツデータ記録部２０４に保持しているコンテンツデータの種類や名称（コンテンツデータ情報）や、自身がどのような機能内容を有しているかの機能情報を携帯端末４に送信する（ステップＳ４３）。
【００８６】
再生機器２から上述したような情報が携帯端末４に返送され、それをユーザＵ２が確認すると、今度は、ユーザＵ２が所望とするコンテンツデータ（再生しようとするコンテンツデータ）を選択し、そのコンテンツデータをどのように利用したいかを指示（ここでは、再生としている）するための操作を行う（ステップＳ４４）。
【００８７】
これによって、携帯端末４では、自身の端末機器ＩＤと再生機器２から送られてきた再生機器ＩＤ、さらには、計時部４０５から得られる現在時刻情報を用いてワンタイムパスワードを作成する（ステップＳ４５）。このワンタイムパスワードの作成に必要な情報としては、本発明では、端末機器ＩＤと現在時刻情報が必須の要件であるが、ここでは、それに加えて、再生機器ＩＤを用い、この再生機器ＩＤと上述した端末機器ＩＤ、現在時刻情報でワンタイムパスワードの作成を行う。
【００８８】
なお、このワンタイムパスワードは、それ以外の情報を加えてもよく、たとえば、これらの情報に加えて、ユーザの行ったコンテンツデータ利用のための操作に対する操作情報として、ユーザの所望とするコンテンツデータ情報やそれをどのように利用するか（ここでは再生）などの操作指示情報、さらには、ユーザＩＤなどを用いてワンタイムパスワードを作成するようにしてもよい。
【００８９】
このように、ワンタイムパスワードの作成に必要な情報は、携帯端末４の端末機器ＩＤと現在時刻情報の他に、幾つかの情報を加えて作成することができるが、どの情報を用いるかは予め決めておくことは勿論である。このワンタイムパスワードの作成はパスワード作成部２０３で行われる。
【００９０】
このようにして、携帯端末４でワンタイムパスワードの作成がなされると、そのワンタイムパスワードと、ユーザの行ったコンテンツデータ利用のための操作に対する操作情報として、ユーザＵ２の所望とするコンテンツデータを指定する情報（コンテンツデータ情報）とその利用の仕方（ここでは再生）を指示する操作指示情報、さらに、当該携帯端末４の端末機器ＩＤ、再生機器２側から送られてきた再生機器ＩＤを再生機器２に送信する（ステップＳ４６）。
【００９１】
再生機器２は、携帯端末４からこれらの情報を受け取ると、これらの情報をメモリ（指令制御部２０３に存在するものとする）に一時的に保持し、これらの情報のうち、端末機器ＩＤ、再生機器ＩＤ、コンテンツデータ利用のための操作に対する操作情報（コンテンツデータ情報、操作指示情報）などをサービスセンタ１に送信する（ステップＳ４７）。
【００９２】
サービスセンタ１では再生機器２から送られてきたこれらの情報を受け取ると、端末機器ＩＤ、再生機器ＩＤ、コンテンツデータ利用のための操作に対する操作情報（コンテンツデータ情報、操作指示情報）を確認（ステップＳ４８）するとともに、それらの情報のうち、必要な情報を用いてワンタイムパスワードを作成する（ステップＳ４９）。
【００９３】
このワンタイムパスワードの作成は、携帯端末４でのワンタイムパスワード作成に用いたと同じ情報を用いて同じアルゴリズムによって作成されるものである。この場合、携帯端末４では、自身の端末機器ＩＤと再生機器２から送られてきた再生機器ＩＤ、現在時刻情報を用いてワンタイムパスワードを作成しているので、サービスセンタ１側でも、これら端末機器ＩＤ、再生機器ＩＤと自身の計時部１０１から得られた現在時刻情報を用いてワンタイムパスワードを作成する。
【００９４】
このワンタイムパスワードは、携帯端末４とサービスセンタ１とで同じ情報を用いて同じアルゴリズムで作成されることによって両者で同一のワンタイムパスワードが作成される。このワンタイムパスワードは、現在時刻（年月日と現在の時刻からなる）を要素の１つとして用いて作成されるものであり、現在の時刻は秒単位までを用いるため、ある限られた時刻のみで有効なものとなる。すなわち、このワンタイムパスワードは、年月日までをも含めた時間の経過軸上において唯一存在するものとなる。
【００９５】
ただし、携帯端末４でのワンタイムパスワードの作成時点からサービスセンタ２でのワンタイムパスワードの作成時点までの時間遅れ（通信に必要な時間などによる時間遅れ）などを考慮して、多少の時間的な幅を持たせておくことが必要である。
【００９６】
このようにして、サービスセンタ１側でもワンタイムパスワードが作成されると、そのワンタイムパスワードとそのときのユーザＵ２の操作要求に対する操作許可指令を再生機器２に対して送信する（ステップＳ５０）。
【００９７】
そして、再生機器２では、サービスセンタ１から送られてきたワンタイムパスワードと操作許可指令を受信すると、再生機器２の制御指令部２０３では、携帯端末４から送られてきたワンタイムパスワード（制御指令部２０３内に存在するメモリに一時的に保持されている）とサービスセンタ１から送られてきたワンタイムパスワードとを比較し、両者が一致するか否かを判断する（ステップＳ５１）。ここで、両者が一致すれば、ユーザＵ２の所望とする操作をそのまま実行する（ステップＳ５２）。すなわち、この場合、ユーザＵ２は再生を行おうとしているので、制御指令部２０３では再生操作を行うべく制御信号を出力する。
【００９８】
これによって、再生機器２ではコンテンツデータ記録部２０４に記録されたコンテンツデータのうち、ユーザＵ２の選択したコンテンツデータがデータ処理部２０５によって読み出されて、再生が可能となるような復号処理がなされ、その復号された信号が再生信号出力部２０６から出力され、映像機器や音響機器に送られる。なお、前述したように、これら映像機器や音響機器はこの再生機器２に組み込まれている場合もある。
【００９９】
このように、携帯端末４で作成されたワンタイムパスワードとサービスセンタ１で作成されたワンタイムパスワードとの一致がとれれば、当該携帯端末４を所有するユーザＵ２の行おうとする操作を有効としているので、ワンタイムパスワードの正当性は重要である。したがって、サービスセンタ１と再生機器２との間で行われる情報の授受、すなわち、再生機器２側からサービスセンタ１に対する再生機器ＩＤ、端末機器ＩＤなどの情報の送信や、サービスセンタ１から再生機器へのワンタイムパスワードの送信は、前述したように、セキュリティの高い通信手法（ＳＳＬなどのセキュリティプロトコルを用いた通信手法）によってなされる必要がある。また、携帯端末４と再生機器２との間の通信もこれに準じて行われる必要がある。
【０１００】
このように、この実施形態１では、サービスセンタ１に対して登録された携帯端末４からの操作によって、再生機器２（サービスセンタ１に登録された再生機器２）に記録されたコンテンツデータを再生することができる。なお、再生すべきコンテンツデータ（再生機器２のコンテンツデータ記録部２０４に記録されているコンテンツデータ）は、サービスセンタ１から取得したものであっても、また、他の再生機器などからコピーしたものであってもよく、本発明では、再生すべきコンテンツデータを取得する際の制限は特に設けることはしない。ただし、再生機器２に取り込まれたコンテンツデータ（コンテンツデータ記録部２０４に記録されているコンテンツデータ）を利用するような行為（上述の例では再生）に対してこれまで説明したような制限を設けるようにしている。
【０１０１】
このように、本発明は、ユーザＵ２の所有する携帯端末４で他のユーザＵ１の所有または管理する再生機器２の保持するコンテンツデータを利用することができるのが大きな特徴である。すなわち、サービスセンタ１に登録されている再生機器２があって、かつ、サービスセンタ１に登録されている携帯端末４があれば、その携帯端末４を所有するユーザＵ２は、利用すべきコンテンツデータの記録されている再生機器２が自分の所有する再生機器でなくても、その再生機器２を利用することができる。また、そのときのコンテンツデータの利用に関する課金は、それを利用したユーザＵ２（コンテンツデータを利用するための操作を行った携帯端末４の所有者）に課すことができる。
【０１０２】
たとえば、ユーザＵ２がユーザＵ１の所有する再生機器２に記録されている多数のコンテンツデータの中から、あるコンテンツデータを、ユーザＵ２の所有する携帯端末４を用いて利用したとすると、そのコンテンツデータの利用行為に対する課金は、ユーザＵ２に対して行われる。なお、このときの課金内容は、コンテンツデータの利用状況によって予め決められた料金が設定されている。たとえば、コンテンツデータの再生に対してはいくらであるかというように、コンテンツデータの利用の仕方によって料金の設定が可能であり、さらには、コンテンツデータが音楽であるか映画であるかゲームであるかなどコンテンツデータの種類ごとあるいは同じ種類であっても個々に料金を様々に設定するといったことが可能である。
【０１０３】
このような情報視聴システムは種々の使い方ができる。たとえば、ホテルなどの客室やロビーなどに上述の再生機器２を設置されていれば、宿泊客がそれを利用する場合は、その宿泊客の所有する携帯端末４（携帯電話機など）で、客室やロビーなどに設置されている再生機器２に記録されているコンテンツデータを自由に利用することができる。
【０１０４】
このときの使用料金は、コンテンツデータの利用状況に応じた料金が宿泊客に課せられるので、ホテル側としては、宿泊客のコンテンツデータ利用のための料金清算を行う必要がなくなる。これは、カラオケ店などの娯楽施設などでも同じことが言え、客が利用したコンテンツデータに対して料金を課すことができるので、施設経営者側からすれば経営の効率化が図れ、それを利用する利用者側からすれば明朗会計的な印象を持つことができ、利用料金に対する不満を小さくすることができる。なお、このようなシステムで用いられる再生機器２やそれを利用する利用者の所有する携帯端末４は、前述した手順によって、予めサービスセンタ１側に登録されているものであることはいうまでもない。
【０１０５】
〔実施形態２〕
前述の実施形態１では、携帯端末４でワンタイムパスワードを作成するようにしたが、この実施形態２は、ワンタイムパスワードの作成機能を再生機器２側に備えるようにした点が大きく異なる。以下、この実施形態２について説明する。
【０１０６】
図６は、実施形態２の構成を示す図であり、図１と異なるのは、再生機器２側にパスワード作成部２０８を設けるとともに、パスワードの作成に必要な計時部２０９を設けた点である。また、携帯端末４側は、パスワード作成部４０６を取り除いた構成となっている。その他は、図１と同じであるので、同一部分には同一符号を付してある。なお、再生機器２側に計時部がもともと存在している場合には計時部を新たに設けなくても、もともと存在する計時部をそのまま利用できることは勿論である。
【０１０７】
なお、この実施形態２においても、再生機器２のサービスセンタ１への登録手順や携帯端末４のサービスセンタ１への登録手順は前述の実施形態１で説明したと同じであるので（図３および図４参照）、ここでは、その説明は省略し、再生機器２のコンテンツデータ記録部２０７に記録されたコンテンツデータを、ユーザＵ２の所有する携帯端末４を用いて再生する場合の手順について図７を参照しながら説明する。
【０１０８】
また、この実施形態２の場合も実施形態１と同様、再生機器２はユーザＵ２の所有しているものではなく、他人の所有する再生機器や公共的な場所に設置されている再生機器、あるいは、何らかの営業施設（たとえば、宿泊施設や娯楽施設など）に設置されている再生機器であって、これらの再生機器２は、少なくとも図６に示すような構成と機能を有し、サービスセンタ１に対して図３で説明したような事前手続きによって登録されているものであるものとする。
【０１０９】
また、この再生機器２のコンテンツデータ記録部２０４にはすでに複数のコンテンツデータが保存されているとする。このコンテンツデータは、サービスセンタ１から上述したような手順で取得したものであってもよく、また、他の再生機器２に記録されているコンテンツデータをコピーしたものであってもよい。
【０１１０】
図７において、ステップＳ６１からステップＳ６４までは実施形態１で説明した図５のステップＳ４１からステップＳ４４と同じであるので、簡単に説明する。まず、ユーザＵ２は自身の携帯端末４に対し、コンテンツデータを利用するための問い合わせとして、再生機器２がどのようなコンテンツデータを持っているか、その再生機器２がどのような機能を有しているかなどを問い合わせるための操作を行う（ステップＳ６１）。ユーザＵ２が携帯端末４上でこのような操作を行うと、その携帯端末４からは、ユーザＵ２の問い合わせ内容とともに、当該ユーザＵ２のユーザＩＤと、当該携帯端末４の端末機器ＩＤを機器ＩＤ記録部４０４から読み出して、それを再生機器２に送信する（ステップＳ６２）。
【０１１１】
携帯端末４からこのような情報が再生機器２に送られると、再生機器２では、自身の再生機器ＩＤ、コンテンツデータ記録部２０４に保持しているコンテンツデータの種類や名称（コンテンツデータ情報）や、自身がどのような機能内容を有しているかの機能情報を携帯端末４に送信する（ステップＳ６３）。
【０１１２】
再生機器２から上述したような情報が携帯端末４に返送され、それをユーザＵ２が確認すると、今度は、ユーザＵ２が所望とするコンテンツデータ（再生しようとするコンテンツデータ）を選択し、そのコンテンツデータをどのように利用したいかを指示（この場合は再生）するための操作を行う（ステップＳ６４）。
【０１１３】
これによって、携帯端末４では、ユーザの行ったコンテンツデータ利用のための操作に対する操作情報として、ユーザＵ２の所望とするコンテンツデータを指定する情報（コンテンツデータ情報）とその利用の仕方（ここでは、再生とする）を指示する操作指示情報、さらに、当該携帯端末４の端末機器ＩＤ、再生機器２側から送られてきた再生機器ＩＤを再生機器２に送信する（ステップＳ６５）。
【０１１４】
再生機器２は、携帯端末４からこれらの情報を受け取ると、端末機器ＩＤと再生機器ＩＤ、現在時刻情報を用いてワンタイムパスワードを作成する（ステップＳ６６）。このワンタイムパスワードの作成に必要な情報としては、前述したように、この場合、端末機器ＩＤと現在時刻情報が必須の要件であるが、ここでは、それに加えて、再生機器ＩＤを用い、この再生機器ＩＤと上述した端末機器ＩＤ、現在時刻情報でワンタイムパスワードの作成を行う。
【０１１５】
なお、前述したように、このワンタイムパスワードは、それ以外の情報を加えてもよく、たとえば、これらの情報に加えて、ユーザの行ったコンテンツデータ利用のための操作に対する操作情報として、ユーザの所望とするコンテンツデータ情報やそれをどのように利用するか（再生など）などの操作指示情報、さらには、ユーザＩＤなどを用いてワンタイムパスワードを作成するようにしてもよい。
【０１１６】
このワンタイムパスワードは再生機器２のメモリ（制御指令部２０３に存在するものとする）上に一時的に保存される。そして、再生機器２からは、端末機器ＩＤ、再生機器ＩＤ、コンテンツデータ利用のための操作に対する操作情報（コンテンツデータ情報、操作指示情報）などがサービスセンタ１に送信される（ステップＳ６７）。
【０１１７】
サービスセンタ１では再生機器２からこれらの情報を受け取ると、端末機器ＩＤ、再生機器ＩＤ、コンテンツデータ利用のための操作に対する操作情報（コンテンツデータ情報、操作指示情報）を確認する（ステップＳ６８）とともに、それらの情報のうち、必要な情報を用いてワンタイムパスワードを作成する（ステップＳ６９）。
【０１１８】
このワンタイムパスワードの作成は、再生機器２でワンタイムパスワードの作成に用いたと同じ情報を用いて同じアルゴリズムによって作成されるものである。この場合、再生機器２では、自身の再生機器ＩＤと現在時刻情報、携帯端末４から送られてきた端末機器ＩＤを用いてワンタイムパスワードを作成しているので、サービスセンタ１側でも、これら端末機器ＩＤ、再生機器ＩＤ、自身の計時部１０１から得られた現在時刻情報を用いてワンタイムパスワードを作成する。
【０１１９】
このようにして、サービスセンタ１側でもワンタイムパスワードが作成されると、そのワンタイムパスワードとそのときのユーザの操作指示要求に対する操作許可指令を再生機器２に対して送信する（ステップＳ７０）。
【０１２０】
そして、再生機器２では、サービスセンタ１から送られてきたワンタイムパスワードと操作許可指令を受信すると、再生機器２の制御指令部２０３では、制御指令部２０３内のメモリに一時的に保存されているワンタイムパスワードとサービスセンタ１から送られてきたワンタイムパスワードを比較し、両者が一致するか否かを判断する（ステップＳ７１）。ここで、両者が一致すれば、ユーザＵ２の所望とする操作をそのまま実行する（ステップＳ７２）。すなわち、この場合、ユーザＵ２は再生を行おうとしているので、制御指令部２０３では再生操作を行うべく制御信号を出力する。
【０１２１】
これによって、再生機器２ではコンテンツデータ記録部２０４に記録されたコンテンツデータのうち、ユーザＵ２の選択したコンテンツデータがデータ処理部２０５によって読み出されて、再生が可能となるような復号処理がなされ、その復号された信号が再生信号出力部２０６から出力される。
【０１２２】
以上説明したようにこの実施形態２のような情報視聴システムとしても、実施形態１と同様に、携帯端末４によって、様々な場所に存在する再生機器２に記録されたコンテンツデータの利用が可能となる。具体的な使い方については実施形態１で説明したので、ここではその説明は省略する。
【０１２３】
なお、上述した実施形態１および実施形態２においては、ユーザの行った操作が再生の場合についての説明であるが、再生に限らず、各種操作においても同様に、それぞれの操作ごとに、実施形態１の場合は携帯端末４でワンタイムパスワードが作成され、実施形態２の場合は再生機器２でワンタイムパスワードが作成される。このとき、ワンタイムパスワードの作成はユーザＵ２の行うすべての操作について行うようにしてもよいが、どのような操作を行った場合にワンタイムパスワードを作成する必要があるかということを予め決めておき、その予め決められた操作がなされた場合のみにワンタイムパスワードの作成処理を行うようにしてもよい。
【０１２４】
ただし、ワンタイムパスワードの作成の必要のない操作であっても、その操作を行ったとき、その端末機器ＩＤやユーザＵ２の行った操作情報（どのような操作を行ったかを示す情報）、コンテンツデータ情報（どのようなコンテンツデータを選択したなど）は、その都度、サービスセンタ１に送るようにすることが望ましい。
【０１２５】
このような情報をサービスセンタ１に送ることにより、ユーザＵ２の行った操作やユーザＵ２の好みをサービスセンタ側で把握することができる。たとえば、ユーザＵ２の操作状況を把握することにより、サービスセンタ１側では、ユーザＵ２が行った操作ごとに課金することもできるので、適正、かつ、きめ細かい課金の設定を行うことができる。たとえば、再生を行った場合の料金はいくらとするか、その場合、コンテンツデータの内容に応じた料金設定も可能となり、また、繰り返しの再生についてはどうするかなど様々な形態に対応した課金の設定が可能となる。また、コンテンツデータに関する情報を把握することによって、そのユーザＵ２がどのようなコンテンツデータを好んでいるかなど嗜好の傾向がわかるので、個々のユーザに対して宣伝などを行う際のデータとして用いることもできる。
【０１２６】
一方、サービスを受けるユーザ側からすると、操作内容に応じた料金が課せられるので、実際の使用に見合った料金支払いで済み、使用料金への不満が少なくなるといった効果も得られる。
【０１２７】
また、携帯端末４または再生機器２でワンタイムパスワードを作成する際、上述の実施の形態では、端末機器ＩＤ、再生機器ＩＤと現在時刻情報を用い、その端末機器ＩＤ、再生機器ＩＤをサービスセンタ１側に送り、サービスセンタ側では、送られてきたこれらの情報（端末機器ＩＤ、再生機器ＩＤ）を用い、さらに自身の計時部１０１で得られた現在時刻を用いてワンタイムパスワードを作成したが、携帯端末４または再生機器２でワンタイムパスワードを作成する際に用いた現在時刻情報（携帯端末４でのワンタイムパスワード作成に用いた現在時刻情報または再生機器２でのワンタイムパスワード作成に用いた現在時刻情報）もサービスセンタ１に送るようにしてもよい。この現在時刻情報をサービスセンタ１に送ることにより、サービスセンタ１では、多少の時間的な幅を有したワンタイムパスワードを作成する際に、基準となる時刻が明確となるのでワンタイムパスワードをより高精度に作成することができる。
【０１２８】
ところで、ユーザＵ２が再生などの操作を行ったとき、携帯端末４または再生機器２でのワンタイムパスワードの作成処理から、サービスセンタ１でワンタイムパスワードを作成し、再生機器２側でこれら２つのワンタイムパスワードの一致判断を行うまでに要する時間はごく短時間であるので、ユーザＵ２側からみれば、上述したような処理時間を意識することなく、ごく普通の感覚で機器操作をしているように思える。そして、携帯端末４または再生機器２側で作成されるワンタイムパスワードとサービスセンタ１側で作成されるワンタイムパスワードの一致が取れれば、ユーザＵ２の行った操作はそのまま実行され、一致が取れなければユーザの行った操作は実行されないことになる。
【０１２９】
なお、上述の例では、サービスセンタ１側からワンタイムパスワードと操作許可指令を再生機器２に送るようにしたが、操作許可指令は必ずしも送る必要はない。この場合、再生機器２では、サービスセンタ１側から送られてきたワンタイムパスワードと携帯端末４または再生機器２側で作成されたワンタイムパスワードとの一致を制御指令部２０３で判断し、一致が取れた場合のみ、制御指令部２０３がユーザの行った操作を有効とする信号を出力するような設定とすればよい。
【０１３０】
また、前述の各実施形態では、ユーザＵ２の持つ携帯端末として携帯電話機を用い、それぞれの実施の形態で説明した機能を持たせるようにすることで本発明の携帯端末として用いるようにしたが、この携帯端末は、携帯電話機以外にもたとえばＰＤＡ（Ｐｅｒｓｏｎａｌ  Ｄｉｇｉｔａｌ  Ａｓｓｉｓｔａｎｔ）など様々な携帯端末を利用することもできる。また、このような既存の携帯端末だけではなく、本発明の情報視聴システム専用の携帯端末を作成して、それを個々のユーザが用いるようにしてもよい。
【０１３１】
なお、本発明は上述の実施の形態に限られるものではなく、本発明の要旨を逸脱しない範囲で種々変形実施可能となるものである。たとえば、ユーザが再生などの操作を行ったときに、サービスセンタ１に送るべき情報としては、端末機器ＩＤ、再生機器ＩＤ、コンテンツデータ利用のための操作に対する操作情報（コンテンツデータ情報、操作指示情報）を送るようにしたが、これらは１つの例に過ぎず、端末機器ＩＤなどの必須の要件以外は、適宜設定することができる。
【０１３２】
また、以上説明した本発明を実現するための処理手順が記述された処理プログラムを作成し、その処理プログラムをフロッピィディスク、光ディスク、ハードディスクなどの記録媒体に記録させておくこともでき、本発明は、その処理プログラムの記録された記録媒体をも含むものである。また、ネットワークから当該処理プログラムを得るようにしてもよい。
【０１３３】
【発明の効果】
以上説明したように本発明によれば、携帯電話機などの携帯端末からの操作によって、再生機器に記録されたコンテンツデータを再生することができる。
【０１３４】
これによって、たとえば、あるユーザの所有する携帯端末で他のユーザの所有する再生機器の保持するコンテンツデータを利用することができる。すなわち、情報提供装置（サービスセンタなど）に登録されている再生機器があって、かつ、その情報提供装置に登録されている携帯端末があれば、その携帯端末を所有するユーザは、利用すべきコンテンツデータの記録されている再生機器が自分の所有する再生機器でなくてもその再生機器を利用することができる。また、そのときのコンテンツデータの利用に関する課金対象は、それを利用したユーザ（コンテンツデータを利用するための操作を行った携帯端末の所有者）とすることができる。
【０１３５】
このような本発明の情報視聴システムは種々の使い方ができる。たとえば、宿泊施設や娯楽施設さらには公共施設などに上述の再生機器を設置されていれば、それを利用する場合は、個々のユーザの所有する携帯端末（携帯電話機など）で、設置されている再生機器に記録されているコンテンツデータを自由に利用することができる。
【図面の簡単な説明】
【図１】本発明の情報視聴システムの実施形態１を説明する図であり、再生機器と携帯端末の構成を主に示す構成図である。
【図２】図１の情報視聴システムにおける情報提供装置（サービスセンタ）の構成を主に示す構成図である。
【図３】本発明の情報視聴システムの処理の流れを説明する図であり、再生機器を情報提供装置（サービスセンタ）に登録する事前手続き手順と、そのあとで、所望とするコンテンツデータを取得する手順を説明する図である。
【図４】本発明の情報視聴システムの処理の流れを説明する図であり、携帯端末を情報提供装置（サービスセンタ）に登録する事前手続き手順を説明する図である。
【図５】本発明の情報視聴システムの処理の流れを説明する図であり、携帯端末を用いて再生機器内に記録されたコンテンツデータを再生する際の手順を説明する図である。
【図６】本発明の実施形態２を説明する図であり、パスワード作成機能を再生機器側に持たせた場合の情報視聴システムの構成図である。
【図７】図６で示した実施形態２の情報視聴システムの処理の流れを説明する図であり、携帯端末を用いて再生機器内に記録されたコンテンツデータを再生する際の手順を説明する図である。
【符号の説明】
１  サービスセンタ（情報提供装置）
２  再生機器
３  ネットワーク
４  携帯端末
１０１  計時部（サービスセンタ１側）
１０２  機器ＩＤ記録部（サービスセンタ１側）
１０３  パスワード作成部（サービスセンタ１側）
１０４  機器情報記録部
１０５  データ送受信部（サービスセンタ１側）
１０６  ユーザ情報記録部
１０７  コンテンツデータ記録部（サービスセンタ１側）
１０８  データ処理部（サービスセンタ１側）
２０１  機器ＩＤ記録部（再生機器２側）
２０２  データ送受信部（再生機器２側）
２０３  制御指令部（再生機器２側）
２０４  コンテンツデータ記録部（再生機器２側）
２０５  データ処理部
２０６  再生信号出力部
２０７  コンテンツデータ送信部
２０８  パスワード作成部（再生機器２側）
２０９  計時部（再生機器２側）
４０１  機器操作部
４０２  データ送受信部（携帯端末４側）
４０３  制御指令部（携帯端末４側）
４０４  機器ＩＤ記録部（携帯端末４側）
４０５  計時部（携帯端末４側）
４０６  パスワード作成部（携帯端末４側）
【図１】
2004234200.tif 000003
【図２】
2004234200.tif 000004
【図３】
2004234200.tif 000005
【図４】
2004234200.tif 000006
【図５】
2004234200.tif 000007
【図６】
2004234200.tif 000008
【図７】
2004234200.tif 000009